(57)【要約】【解決手段】情報が少なくとも２つの離散光キャリア信号に符号化される自由空間光通信に、システムと方式が提供される。本システムには、情報を少なくとも２つの離散光キャリア信号に符号化するよう設定されたトランスミッタと、少なくとも２つの離散光キャリア信号から情報を受信、逆符号化するよう設定された複数のレシーバが含まれる。【特許請求の範囲】
【請求項１】
自由空間光通信システムであって、
少なくとも２つの離散光キャリア信号による情報を符号化（エンコード）し自由空間上に伝達するよう構成されたトランスミッタと、
前記の離散光キャリア信号からの情報を受信し逆符号化（デコード）するよう構成されたレシーバと、
を有する自由空間光通信システム。
【請求項２】
請求項１のシステムにおいて、前記トランスミッタは、デジタル情報を少なくとも２つの離散光キャリア信号に符号化するよう構成されている、システム。
【請求項３】
請求項２のシステムにおいて、前記離散光キャリア信号は第１のキャリア信号と第２のキャリア信号を含み、
前記第１のキャリア信号は論理‘１’に相当する情報を含み、
前記第２のキャリア信号は論理‘０’に相当する情報を含む
ものであるシステム。
【請求項４】
請求項２のシステムにおいて、前記離散光キャリア信号は第１のキャリア信号と第２のキャリア信号を含み、
前記トランスミッタは陽極振幅光パルスを第１のキャリア波長に送信することによって論理‘１’を伝達し、また陽極振幅光パルスを第２のキャリア波長に送信することによって論理‘１’を伝達するよう構成されている
ものであるシステム。
【請求項５】
請求項１のシステムにおいて、前記トランスミッタは、少なくとも２つの離散光学ビームを伝達し、その各ビームは前記光キャリア信号の少なくとも１つから構成されている、システム。
【請求項６】
請求項５のシステムにおいて、前記レシーバは、少なくとも２つの離散ビームを受信し、その各ビームは前記光キャリア信号の少なくとも１つから構成される、システム。
【請求項７】
請求項１のシステムにおいて、前記トランスミッタは、前記光信号を多重送信するため少なくとも１つの多重通信装置から構成されている、システム。
【請求項８】
請求項７のシステムにおいて、前記光信号を非多重化する、少なくとも１つの多重分離装置から構成されている、システム。
【請求項９】
請求項１のシステムにおいて、前記の少なくとも２つの各離散光キャリア信号は、３００からおよそ１０，０００ナノメートルの範囲のキャリア波長から構成されている、システム。
【請求項１０】
請求項９のシステムにおいて、前記の少なくとも２つの各離散光キャリア信号は、３００からおよそ１，５００ナノメートルの範囲のキャリア波長から構成されている、システム。
【請求項１１】
請求項９のシステムにおいて、前記の少なくとも２つの各離散光キャリア信号は、１，５００からおよそ１０，０００ナノメートルの範囲のキャリア波長から構成されている、システム。
【請求項１２】
請求項９のシステムにおいて、前記離散光信号は、２つのキャリア波長の違いは１００ナノメートル以下である、第１のキャリア波長と第２のキャリア波長から構成されている、システム。
【請求項１３】
請求項９のシステムにおいて、前記離散光信号は、２つのキャリア波長の違いは１０００ナノメートル以上である、第１のキャリア波長と第２のキャリア波長から構成されている、システム。
【請求項１４】
請求項１のシステムにおいて、前記トランスミッタは、前記各キャリア波長を少なくとも２つの離散光キャリア信号に変更する構成されている、システム。
【請求項１５】
請求項１４のシステムにおいて、前記トランスミッタは、前記の少なくとも２つの各離散光信号のキャリア波長を３００からおよそ１，５００ナノメートルの範囲内からおよそ１，５００から１０，０００ナノメートルの範囲内に変更するよう構成されている、システム。
【請求項１６】
請求項１４のシステムにおいて、前記トランスミッタは、前記の少なくとも２つの各離散光信号のキャリア波長を１，５００からおよそ１０，０００ナノメートルの範囲内からおよそ３００から１，５００ナノメートルの範囲内に変更するよう構成された、システム。
【請求項１７】
請求項１４のシステムにおいて、前記トランスミッタは、前記の少なくとも２つの各離散光信号のキャリア波長をランダムに少なくとも２つの離散光キャリア信号に変更するよう構成されている、システム。
【請求項１８】
請求項１４のシステムにおいて、前記トランスミッタは、前記の少なくとも２つの各キャリア波長をプログラムに沿って変更するよう構成されている、システム。
【請求項１９】
請求項１４のシステムにおいて、前記トランスミッタは、前記レシーバに将来の変更を伝達する、前記離散光キャリア信号のうちの少なくとも１つにコントロールビットを組込むよう構成されている、システム。
【請求項２０】
請求項１４のシステムにおいて、前記レシーバは、前記コントロールビットを逆符号化し、変キャリア波長を含む変光キャリア信号を受信するよう構成されている、システム。
【請求項２１】
請求項１のシステムにおいて、前記トランスミッタは、波長可変レーザーや波長可変ファブリ・ペローフィルタ、波長可変マッハ・チェンダーフィルタ、活性ブラッグ格子導波管、そして超音波光学フィルタからなるグループの一部を構成する、システム。
【請求項２２】
請求項１のシステムにおいて、前記レシーバは、干渉フィルタや高密度波長分割多重干渉フィルタ、広角幾何（ＷＡＧ）検出器、波長分散型要素、ファブリー・ペローフィルタ、そして可切替回折格子からなるグループの一部を構成する、システム。
【請求項２３】
請求項１のシステムにおいて、前記トランスミッタは、前記各データ・チャネルは前記離散光キャリア信号を持つ、多重データ・チャネルを用いてデータを送信するよう構成されている、システム。
【請求項２４】
請求項２３のシステムにおいて、各多重データ・チャネルは、およそ２００ギガヘルツ以上の帯域幅を含む、システム。
【請求項２５】
請求項２４のシステムは、最低３２のデータ・チャネルを含み、およそ６．４テラヘルツ以上のシステム帯域幅を持つシステム。
【請求項２６】
請求項２３のシステムにおいて、前記トランスミッタは、前記多重チャンネルを単一ビームに多重送信するよう構成されている、システム。
【請求項２７】
請求項２３のシステムにおいて、前記トランスミッタは、前記各データチャンネルを前記各キャリア信号の始めの信号を第１ビームに、また前述の各データチャンネルを前記各キャリア信号の第２の信号を第２ビームに多重送信するよう構成されている、システム。
【請求項２８】
被変調波光通信を基盤にしたファイバーレス光通信システムであって、
個々が情報を少なくとも２つの離散光キャリア信号に符号化するよう構成された複数トランスミッタと、
個々が少なくとも２つの離散光キャリア信号から情報を受信し逆符号化するよう構成された複数レシーバと、
個々が少なくとも２つの前記複数レシーバを含む複数ユーザーポートと、
個々が少なくとも２つの前記複数ユーザーポートを用いてデータを送信、受信するよう設定された複数ハブと、
個々がその他のリピータ、ハブやユーザーポートからなるグループの少なくとも一部に対し光学信号を受信、増幅、経由するよう構成された複数リピータを有する
ものである被変調波光通信を基盤にしたファイバーレス光通信システム。
【請求項２９】
自由空間における情報通信方法であって、
情報の少なくとも２つの離散光キャリア信号への符号化と、
前記キャリア信号の送信と、
前記キャリア信号の受信と、
前記キャリア信号からの情報逆符号化を有する、自由空間における情報通信方法。
【請求項３０】
請求項２９の方法において、前記符号化は、デジタル情報の符号化から構成されている、方法。
【請求項３１】
請求項３０の方法において、前記デジタル情報の符号化は、第１のキャリア波長で高振幅光学振動を論理‘１’に相当符号化、また第２のキャリア波長で高振幅光学振動を論理‘０’に相当符号化することから構成される、方法。
【請求項３２】
請求項２９の方法であって、さらに
前記の少なくとも２つの離散光キャリア信号の単一ビームとしての多重送信と、
その単一ビームの前記離散光キャリア信号への非多重化を有する、方法。
【請求項３３】
さらに請求項２９の方法であって、
各データチャンネルが前記第１と第２の離散光キャリア信号を持つ、多数データチャンネルの単一ビームとしての多重送信と、
また前記単一ビームの前記第１と第２の離散光キャリア信号への非多重化を有する、方法。
【請求項３４】
さらに請求項２９の方法であって、
複数データチャンネルを第１と第２ビームとして多重送信し、前記各データチャンネルが前記第１と第２の離散光キャリア信号を持ち、また前記第２ビームが前記各複数データチャンネルの第２の光キャリア信号を含む、多重送信と、そして、
前記第１と第２ビームを前記データチャンネルの第１と第２の光キャリア信号への非多重化から構成されている、方法。
【請求項３５】
請求項３２の方法において、前記多重送信と非多重化は、高密度の波長分割多重方式から構成されている、方法。
【請求項３６】
請求項２９の方法において、少なくとも２つの各離散光キャリア信号は、３００からおよそ１０，０００ナノメートルの範囲のキャリア波長から構成される、方法。
【請求項３７】
さらに請求項２９の方法は、前述の２つの離散光キャリア信号の各キャリア波長を別の波長に変更することから構成される、方法。
【請求項３８】
請求項３７の方法において、キャリア波長の第１ペアであるλｉとλｊは、（λｋ−λｉ）／（λｋ＋λｉ）＜０．５のとき、キャリア波長の第２ペアであるλｋとλｌに変更される、方法。
【請求項３９】
請求項３７の方法において、キャリア波長の第１ペアであるλｉとλｊは、（λｋ−λｉ）／（λｋ＋λｉ）＞１のとき、キャリア波長の第２ペアであるλｋとλｌに変更される、方法。
【請求項４０】
請求項３７の方法において、前記変更は、ランダムな変化によって構成されている、方法。
【請求項４１】
請求項３７の方法において、前記変更は、プログラムに沿った変化によって構成されている、方法。
【請求項４２】
請求項３７の方法において、前記符号化は、キャリア波長のレシーバに対する将来の変更を通信するための情報へのコントロール・ビットの埋め込みから構成されている、方法。
【発明の詳細な説明】
【０００１】
【発明の属する技術分野】
本発明は主に光通信に関し、および具体的に高帯域幅の無線光通信に関する。
【０００２】
【背景事情】
インターネットテレビ会議やダウンロード可能なデジタルビデオなどのインターネットマルチメディア用途の到来は、通信帯域幅の必要条件を大幅に増大した。結果として近年、光ファイバーによる通信、特に高密度波長分割多重（ＤＷＤＭ）技術への関心が著しく増加した（この参照によって、明細に完全に組込まれるクック他による米国特許６，０４３，９１４）。従来の銅線技術と比較して、光ファイバー通信が非常に増大した帯域幅を提供する中で、光ファイバーを使用して達成できる帯域幅は次世代のビデオ用途に必要であろう予測される帯域幅の需要には不十分であると一般的に考えられている。光ファイバー通信によって達成可能な帯域幅は、光ファイバーの許容できる範囲での減衰あるいは波長分散による狭波長域に制限されがちである。代表的な市販の光ファイバーには２つの比較的狭波長域（例えばバンド）があり、その最小限の減衰をもつファイバー素材の１つは波長中心が１３１０ｎｍ、もう一方は波長中心が１５１０ｎｍとなる。新型のＤＷＤＭ技術にしても、達成可能なデータチャンネル数、いわゆる達成可能な帯域幅は相対的に低い。さらに光ファイバー技術は比較的高額で時間のかかる光ファイバー回路の取り付け作業が必要なことから、やや不利である。
【０００３】
無線（ファイバーレスとも呼ばれる）光通信は上記の光ファイバーの限界に対し、１つの潜在的な解決策を提供する可能性がある。ラジオ周波数（ＲＦ）範囲内での無線通信は比較的便利で低費用だが、ＲＦ波の低周波数のためにその帯域幅には限界がある。さらに、無線通信（通常マイクロ波放射が使用される）は衛星通信（衛星間と衛生−地球間の両方）における使用でよく知られている。ごく最近にはより広い帯域幅、いわゆるファイバーレス光通信の開発に著しく関心が集まっている。
【０００４】
例えば、テラビーム・ネットワークス（登録商標）社（ワシントン州シアトル、第７アベニュー２３００）、エア・ファイバー（登録商標）社（カリフォルニア州サンディエゴ、ヴィア・エスプリヨ１６５１０）、ライトポイント（登録商標）コミュニケーション社（カリフォルニア州サンディエゴ、バーンズキャニオン・ロード１０１４０）、ＯｒＡｃｃｅｓｓ社（イスラエル５１４２９、ブリエル・ブラク、シュミッドマン・ストリート１７）は有名な”ラスト・マイル・ボトルネック”のユーザー宅内へ、「自由空間光学（フリースペースオプティックス、ＦＳＯ）」すなわちファイバーレス解決策を提供する。しかしながらこれら商業システムは通常、標準の光ファイバーを基盤にした技術をＦＳＯに転送するため、光ファイバーの帯域幅制限に抑制される傾向がある。例えば、テラビーム・ネットワーク（登録商標）はおよそ１５５０ｎｍの波長で作用する秒間１ギガビットのＦＳＯシステムを提供する。同様に、デュラント他による米国特許６，０１６，２１２（この参照によって、完全にこの明細に組込まれる）はおよそ１５５０ｎｍの比較的に狭い波長範囲において自由空間波長分割多重システムが作動可能であることを開示する。
【０００５】
上記に引用された技術は比較的に狭い帯域幅範囲で作動するのに加え、標準の振幅変調（ＡＭ）符号化技術に依存することから潜在的に不都合である。結果としてこれらの技術は気象条件の変化（例えば風雨、霧、又は雪）に敏感である可能性があり、依って光学強度への偏差を招き、データ損失・障害をも引き起こす可能性がある。例えばデジタル光学通信において、比較的高強度の光は普通、論理‘１’に相当するのに対し、比較的低強度の光は普通、論理‘０’に相当する。光学強度の偏差（例、気象変更によって引き起こされる）は光強度が論理‘１’を登録するほど十分に高くない場合にはデータ損失（例、間違いやエラービット）を引き起こす可能性があり、或いは背景の‘雑音’が論理‘０’を曖昧にするほど激しい場合には誤って‘１’を登録する。
【０００６】
従って、前記難点を１つでも克服する、改良されたファイバーレス光通信システムと方法の必要性が存在する。
【０００７】
【発明の概要】
ある観点において、本発明は情報を少なくとも２つの離散光キャリア信号に符号化し、自由空間上に送信するよう設定されたトランスミッタを含む自由空間光通信システムを含む。レシーバは離散光キャリア信号から情報を受信し、逆符号化するよう設定される。１つの変化において、この実施形態のシステムは第１のキャリア波長で高振幅光学振動を送信することにより論理‘１’を伝達し、また第２のキャリア波長で高振幅光学振動を送信することにより論理‘０’を伝達する。
【０００８】
別の観点において、本発明は被変調波光通信を基盤にしたファイバーレス光通信システムが含まれる。本方式には、個々が情報を最低２つの離散光キャリア信号に符号化するよう設定された複数トランスミッタと、個々が最低２つの離散光キャリア信号から情報を受信、逆符号化するよう設定された複数レシーバが含まれる。本方式にはさらに、複数ユーザーポートとリピータが含まれ、各ユーザーポートは複数レシーバとハブを最低１つずつ含み、その各々は最低２つのユーザーポートを使用しデータを送信、受信するよう設定され、また各リピータは光信号をその他のリピータ、ハブ、ユーザーポートからなるグループの最低１メンバーに対し受信、増幅、経由するよう設定される。
【０００９】
また別の観点において、本発明は情報の自由空間通信のための方法を含む。本方法には（１）情報の少なくとも２つの離散光キャリア信号への符号化、（２）情報の送信、（３）情報の受信、そして（４）最低２つの離散キャリア波長からの情報の逆符号化が含まれる。この実施形態の一変化では、さらに本方法は少なくとも２つの光キャリア信号の単一ビームへの多重送信と、各単一ビームが異なるキャリア信号に相応する複数信号への非多重化を含む。
【００１０】
【発明の実施の形態】
本発明は斬新なシステムと無線光通信方法に関する。被変調波光通信（ＷＭＯＣ）と本明細で称される本発明の例示的方法は、情報が少なくとも２つの離散光キャリア信号上を伝達される符号化を含み、その各キャリア信号には変調キャリア波長が含まれる。図１を参照すると、本発明の原則に従ったシステム２０の一実施態様の一般的なブロック図が説明されている。システム２０には最低２つの離散キャリア信号上に符号化された情報を送信するよう設定されたトランスミッタ２２と送信された情報２５ａと２５ｂを受信し逆符号化するよう設定されたレシーバ２４が含まれる。送信された光信号２５ａと２５ｂには、２つ以上のビーム（例えば、各々キャリア信号の１つずつ）、或いは符号化された情報を含む光キャリア信号が多重送信された条件下の単一ビームを含み得る。
【００１１】
キャリア波長（通常およそ３００から１０，０００ｎｍの範囲内）の広帯域を越え、極めて高い帯域幅無線光通信を提供することにより、本発明は有利である。さらに、本発明は従来のＤＷＤＭ技術を活用化し、多数の広帯域データの交通チャンネル（例えば１００以上）を提供し得る。またさらに、本発明は風雨、霧、雪といった天候の事前に、より一層の安定性とデータ信頼性を提供する。そしてさらに本発明は、極めて安全なデータ伝送を提供し、また有名な”ラスト・マイル・ボトルネック”への解決法をも提供し得る。さらに加えて本発明は、従来の振幅変調光通信と対応することから有利である。
【００１２】
上記のように本発明方法には、少なくとも２つの離散キャリア信号上の情報の符号化が含まれ、その各々の信号にはデータ・ストリーム（例、ビット・ストリーム）の一部を符号化する変調キャリア波長が含まれる。これは情報が継続的で光学コヒーレント光信号によって送信される従来型周波数偏移符号化（ＦＳＫ）光通信（例としてオルソン他の米国特許４，５６４，９４６、フージュマン他の米国特許４，８１４，７１７、そしてマノン他の米国特許４，９８４，２８７を参照）とは対照的である。
【００１３】
さて図２を参照すると、ＷＭＯＣにおける情報符号化についての本発明方法の一実施例３０が示されている。図２は縦軸座標が３２ｉと３２ｊ、横軸が時間３４ｉと３４ｊ、そしてλｉとλｊを各波長とする光学強度の代表的図面である。実施例３０において、波長λｉは論理‘１’を符号化し、もう一方の波長λｊは論理‘０’を符号化する。２つの波長の組合せには通常、デジタル情報の全てが含まれる。波長λｉとλｊは通常２つの平行同時ビームとして伝信され、相互に類似性の無い２つの検波器で受信される。ビームが受信された際、光信号はバイナリ・データ・ストリーム形成のために逆符号化される。実施例３０において、λｉが比較的高強度性を持ち、λｊが比較的低強度性を持つ時に論理‘０’が受信される。逆に、λｉが比較的低強度性を持ち、λｊが比較的高強度性を持つ時に論理‘１’が受信される。高精度と信頼性が要求される用途において、論理‘１’と論理‘０’の両方を記録する際に高強度信号を必要とする上記の方法は、‘０’（例えば単側波帯）に相当する通常の低強度信号部分が雑音によって不明確にされることに伴うエラーを回避し得るので有利である。当分野の専門家であれば、キャリア波長λｉとλｊが送信装置によって単一ビームとして多重送信され、また受信装置によって個別のキャリア波長に非多重化され得ることを直ちに認識するであろう。また加えて専門家は、本発明の範囲及び精神から逸脱することなく、従来のパルス符号変調（ＰＣＭ）など実質的にどの変調技術もがデジタル情報のキャリア波長λｉとλｊへの符号化に使用され得ることを認識するであろう。
【００１４】
図３に示される代表的な振幅３６に対し波長３８の図表のような本発明の方法は、上記の従来の光ファイバー技術に使用されたように、赤外線（ＩＲ）波長３７（例、およそ１３１０或いは１５５０ナノメートル）の使用に限定されない。その代わりに、本発明に使用された波長はおよそ３００から１０，０００ナノメートルに及び得る。また図３に示されたように、キャリア波長の大きさは比較的類似し（例、（λｉ−λｊ）／（λｉ＋λｊ）＜０．２におけるλｉとλｊ）、或いは大きさが実質的に異なる（例、（λｉ−λｊ）／（λｉ＋λｊ）＞１におけるλｉとλｊ）可能性がある。例えばある実施例において、第１と第２のキャリア波長、λｉとλｊ、の差異は１００ナノメートル以下かもしれない。他の実施態様において、第１と第２のキャリア波長、λｉとλｊ、の差異は１０００ナノメートル以上かもしれない。
【００１５】
可能な波長（例えばキャリア波長）範囲が比較的大きい（上記のようにおよそ３００から１０，０００ナノメートル）ことから、各々が比較的高い帯域幅を持つ（例えば各々が１００数個のギガヘルツ以上の帯域幅を持つ）複数データチャネルが採用され得る。「帯域幅」の語は、信号の有用周波数成分を含む周波数帯域における周波数限界間の差異を指すために、従来の辞書定義と共にここで一貫して使用される。従来の光（或いはその他の電磁波）通信では、「チャネル」の語がキャリア波長周辺の周波数帯域を指す。ここで使用されるように本発明の実施例について、各「データチャネル」には各離散キャリア波長に関するチャネルや周波数を含み、また少なくとも２つの当該のチャネルや周波数帯域が含まれる。例えば、２つのキャリア波長λｉとλｊを用いる本発明の実施態様において、データチャネルにはそれぞれのキャリア波長λｉとλｊに関して１００ギガヘルツ周波数帯域が含まれ、帯域幅合計はデータチャネルに付き２００ギガヘルツとなる。自由空間中で有効な広波長範囲はまた、比較的多数のデータチャネル（比較的高帯域のものさえも）提供する。よって、本発明の実施例は秒速テラビット通信用の多数の高帯域幅データチャネルを用いるファイバーレス光通信の提供に使用される可能性がある。例えばある実施形態において、システムは少なくとも３２データチャネルを含み、各データチャネルは少なくとも２００ギガヘルツの帯域幅を持ち、６．４ギガヘルツ以上の帯域幅を持つファイバーレス通信を、データ転送秒速テラビットで供給する。
【００１６】
さらに本発明は、極めて広い帯域幅或いはデータ転送速度を提供するよう、従来のＷＤＭやＤＷＤＭ技術（或いはまだ開発されていない多重送信・非多重化技術）と組合わせ得る。トランスミッタ２２は、光キャリア信号多重化に関する多数の著名な多重化構成要素（ここではＭＵＸと言われる）を含み得る。トランスミッタ２４は、光キャリア信号非多重化に関する多数の著名な非多重化構成要素（ここではＤＥＭＵＲと言われる）を含み得る。多重送信と非多重化技術は、当分野において既知であり、よってここでは詳細を討議しない。ある実施態様において、少なくとも２つの光キャッリア信号は、符号化された情報を含めて、単一光ビームに多重送信され得る。他の実施態様において、複数データチャネル（上記参照）を含めて、トランスミッタ２４が２つの光ビームを送信し得る際、各データチャネル（例、各チャネルの論理‘１’に対応するもの）に対する第１のキャリア信号は第１ビームとして多重送信され、また各データチャネル（例、各チャネルの論理‘０’に対応するもの）に対する第２のキャリア波長は第２ビームとして多重送信される。さらに複数データチャネルを含む他の実施態様において、トランスミッタ２４は信号を単一ビームとして多重送信する。
【００１７】
本発明はさらに、使用される光波長が風雨、霧や雪といった不都合な天候に対して比較的敏感でないことから、極めて安定したファイバーレス光通信を可能にする。その上、本発明の代替実施態様は一対のキャリア波長を特定の天候に対して比較的敏感でない波長に切替（例、変更）する（例えば、キャリア波長をより長い波長に替え得る）可能性がある。例えば図４に示されたように、不都合な大気条件の兆候やその天気予報に対し、キャリア波長はλｉとλｊからλｋとλｌに切り替えられる。
【００１８】
さらに、キャリア波長ペア（λｉとλｊ）は更なるセキュリティを供給するようランダムに、或いはプログラム可能なプロトコルを受けて変更される。プロトコルは事前に確定されるか、或いはデータストリーム内に組込まれたコントロールビットによりリアルタイムでレシーバ２４に伝達される。発明された方法のこの実施態様は、従来の無線光通信の重要な懸念となっている潜在的なセキュリティ侵害に対し解決策を実現する。当分野における通常の知識を有する者であれば、キャリア波長ペアの変更に対し多数の概案を考えつくであろう。例えば図４に示されたように、キャリア波長ペアであるλｉとλｊ、λｋとλｌは実質的に大きさが異なりうる（例、（λｋ―λｉ）／（λｋ＋λｉ）＞１）。キャリア波長ペアのλｉとλｊ、λｋとλｌは比較的大きさが相似する可能性がある（例、（λｋ−λｉ）／（λｋ＋λｉ）＜０．５）。
【００１９】
再度図１を参照すると、本発明のシステム２０には幾つもの形式のトランスミッタ装置２２やレシーバ２４が含まれる可能性がある。例えばトランスミッタ２２は従来波長変調器を含むかも知れず、それはファブリー・ペローフィルタ、波長可変マッハ・チェンダーフィルタ、活性ブラッグ格子導波管、或いはその他、将来開発されうるエンハンスメントや代替物を含む、どのような比較的高速波長変調装置をも活用する。レシーバ２４は干渉フィルタ、ＤＷＤＭ干渉フィルタ、広角幾何（ＷＡＧ）検出器、波長分散型要素といった受動素子を含み得る。レシーバ２４はまたファブリー・ペローフィルタや可切替回折格子などの能動素子を含み得る。
【００２０】
図５へ移ると、ＷＭＯＣベースのファイバーレス光通信ネットワークの高レベル略図が示されている。ＷＭＯＣシステムは、全国（或いは世界規模）のファイバーレスネットワークシステムを構築するために単一、或いは複数のポイント・ポイントリンク（リピータ５４として示される）が含まれる可能性がある。リピータ５４は首都間でＷＭＯＣデータを転送する際に使用され得る。各首都圏において、リピータ５４は多数のハブ５６からＷＭＯＣデータを送信・受信する中央局として機能できる。各ハブ５６はその代わりに、多数のユーザーポート５８（例えば、民家、オフィス及びビジネス街）からＷＭＯＣデータを送信・受信できる。またさらに、システム５０は全面的，或いは部分的に従来の地上および衛星マイクロ波放射通信システムと組み合わせられる。
【００２１】
上記の本発明の様々な実施態様への修正点は例示的なものだけに過ぎない。説明に使用された実施例へのその他の変更点が、その分野における通常の知識を有する者には容易に思いつくであろうことと理解される。そのような全ての変化や変更は、請求項に伴った定義により、範囲内および本発明の精神であるとみなされる。
【図面の簡単な説明】
【図１】
本発明の原則に従った被変調波光通信の概略図。
【図２】
本発明方法の一実施態様を説明する時間に対する光学強度の代表的図面。
【図３】
図２実施態様の一変化を説明する波長に対する光強度の代表的図面。
【図４】
図２実施態様の一変化を説明する波長に対する光強度のもう１つの代表的図面。
【図５】
本発明の被変調波光通信ネットワークの一実施態様の概要図。
【図１】
2004513535.tif 000002
【図２】
2004513535.tif 000003
【図３】
2004513535.tif 000004
【図４】
2004513535.tif 000005
【図５】
2004513535.tif 000006
【国際公開パンフレット】
2004513535.tif 000007
2004513535.tif 000008
2004513535.tif 000009
2004513535.tif 000010
2004513535.tif 000011
2004513535.tif 000012
2004513535.tif 000013
2004513535.tif 000014
2004513535.tif 000015
2004513535.tif 000016
2004513535.tif 000017
2004513535.tif 000018
2004513535.tif 000019
2004513535.tif 000020
2004513535.tif 000021
2004513535.tif 000022
2004513535.tif 000023
2004513535.tif 000024
2004513535.tif 000025
【国際公開パンフレット（コレクトバージョン）】
2004513535.tif 000026
【国際調査報告】
2004513535.tif 000027
2004513535.tif 000028
2004513535.tif 000029